(57)【要約】  【課題】  締付けの際にボルトとフック部とが共回りすることを未然に防止し、しかもＲピンやスプリングワッシャ等の付加部品を全く使用することなく確実にボルトの弛みの発生を防止したフックボルトを提供する。  【解決手段】  頭部２と軸部３とを備たボルト１と、該ボルト１が螺合されるネジ孔５を備えたフック部材４とからなり、軸部３はネジの有しない胴部３ａと胴部より小径で下方のネジ部３ｂとからなり、ネジ孔５の上部はボルト胴部３ａが嵌合する嵌合穴６として形成され、嵌合穴６又はボルト胴部３ａがネジ孔５の軸芯に対して偏芯して形成されて、これによりボルト１をネジ孔５に螺合したときにボルト胴部３ａと嵌合穴６とが圧接されるように構成され、フック部材４にフック部７と回動阻止片８とが設けられていてボルト締付けの際にボルト１とフック部材４との共回りを防止するように構成する。【選択図】  図２
2005233293.tif 000002
【特許請求の範囲】
【請求項１】
回動操作部を備えた頭部と軸部とを備えたボルトと、該ボルトが螺合されるネジ孔を備えたフック部材とからなり、ボルトの軸部はネジの有しない胴部と下方のネジ部とからなり、前記胴部の直径は下方のネジ部の直径より大きく形成され、前記フック部材のネジ孔の上部はボルトの胴部が挿嵌する嵌合穴として形成され、前記嵌合穴若しくはボルト胴部の何れか一方がネジ孔軸芯に対して偏芯して形成されており、これによりボルトをネジ孔に螺合したときにボルト胴部と嵌合穴との摺接によりフック部材がボルト軸芯に対して直交する方向に圧迫されるように構成されており、更に前記フック部材に被締結部材の下面に当接するフック部と被締結部材の一部に係合する回動阻止片とが設けられているフックボルト。
【請求項２】
前記フック部材の嵌合穴がネジ孔軸芯に対して偏芯して形成されている請求項１に記載フックボルト。
【請求項３】
前記ボルトの胴部がネジ孔軸芯に対して偏芯して形成されている請求項１に記載のフックボルト。
【発明の詳細な説明】
【技術分野】
【０００１】
本発明は、例えば鉄道の橋梁の鋼材に枕木を固定するのに使用されるフックボルトに関し、殊に固定作業が容易で且つ列車の振動等によって締付けが緩むことのない耐震緩み止めフックボルトに関する。
【背景技術】
【０００２】
従来、枕木を橋梁のＨ型鋼材に固定する手段として例えば特許文献１並びに特許文献２に示すような技術が知られている。特許文献１の手段によれば、先端をＬ形に曲げたフック部を有するフックボルトを枕木に開けた貫通孔に挿通させ、先端のフック部をＨ型鋼に引掛けて枕木上方に露出した軸部上端部にナットを螺合して締結する構造となっている。そしてナットで締め付ける際にフックボルトが共回りするのを防止するのに、フック部に平面略長方形のゲタ座金を溶接してその両翼部を鋼材端面に当接させる等の煩雑な手段がとられている。またナットの緩み止め手段としてコイルバネをナットと座金との間に装着して列車の振動をコイルバネで吸収させる等の工夫がなされている。更に、特許文献２の手段によれば、上記の共回りを防止するのに、フックボルトの軸の一部並びに枕木の貫通孔を断面四角等の非真円孔とし、ナットの弛みを防止するためにナット上方に突出させたフックボルトに横穴を開けてこれにＲピンを差し込むと共にスプリングワッシャを併用している。
【特許文献１】特開平１０−８２４０７号公報
【特許文献２】特開平２００１−４９６２０号公報
【発明の開示】
【発明が解決しようとする課題】
【０００３】
しかし上記の特許文献１の手段では、ゲタ座金をボルトフック部に溶接する手段が面倒であると共に、ゲタ座金が薄いために余程丁寧に溶接しない限り強力な締付けには対応できず実用的ではなかった。またコイルバネによる緩み止め効果は殆ど期待できるものではなく、逆に振動によってナットの弛みを助長する危惧を包含する。また特許文献２の手段によればフックボルトの軸部や数多い枕木の貫通孔を断面四角等の非真円孔に加工する手段が大変面倒であるとともに、ナットの弛みを防止するためにナット上方に突出させたフックボルトの横穴にＲピンを差し込む等の工程も大変煩雑であって、トータルコストが高くつくといった欠点があった。
【０００４】
そこで本発明は、下方のフック部とボルトとを別体で形成するものでありながら、ボルトの頭部を回転させて締め付ける際にボルトとフック部とが共回りすることを未然に防止し、しかもＲピンやスプリングワッシャ等の付加部品を全く使用することなく確実にボルトの弛みの発生を防止した新規なフックボルトを安価に提供することを主たる目的とするものである。
【課題を解決するための手段】
【０００５】
上記目的を達成する為に本発明では次のような技術的手段を講じた。即ち、本発明に係るフックボルトにあっては、回動操作部を備えた頭部と軸部とを備えたボルトと、該ボルトが螺合されるネジ孔を備えたフック部材とから構成される。ボルトの軸部はネジの有しない胴部と下方のネジ部とからなり、前記胴部の直径は下方のネジ部の直径より大きく形成されている。前記フック部材のネジ孔の上部はボルトの胴部が密に嵌合する嵌合穴として形成され、前記嵌合穴若しくはボルト胴部の何れか一方がネジ孔軸芯に対して偏芯して形成されている。これによりボルトをネジ孔に螺合したときにボルト胴部と嵌合穴との摺接によりフック部材がボルト軸芯に対して直交する方向に圧迫されてボルトとフック部材との相対的な自然回動を防止するように構成されている。更に前記フック部材に鋼材等の被締結部材の下面に当接するフック部と被締結部材の一部に係合する回動阻止片とが設けられていてボルト締付けの際にボルトとフック部材との共回りを防止する構造となっている。
【０００６】
上記偏芯箇所は、フック部材の嵌合穴をネジ孔軸芯に対して偏芯して形成するのが加工上容易で好ましいが、ボルトの胴部をネジ孔軸芯に対して偏芯して形成するようにしてもよい。
【発明の効果】
【０００７】
本発明のフックボルトは、ボルトのネジ部をフック部材のネジ孔に螺合して締め付けるだけでボルトとフック部材が共回りすることなく簡単に枕木等の被固定物を鋼材等の被締結部材に固定することができると共に、締付け過程において、フック部材の嵌合穴若しくはこれに挿嵌されるボルト胴部の何れか一方の偏芯構造によって、ボルトとフック部材とが相対的にボルト軸芯に対して直交する方向に圧迫されてネジ山同士が緊密に噛み合い、これにより従来のようなＲピン等の付加部材を全く用いることなく振動等による両者間の自然回動を確実に防止することができる。加えて、枕木等の被固定物が経年でヤセた場合でも、ボルト頭部を回動工具で締め付けるだけで簡単に増し締めができて補修が容易であり、更には、被固定物上面にはボルトの頭部が少し出るだけで従来のようなボルト軸部が長く突出することないので歩行時の安全性が確保できる、といった種々の優れた効果がある。
【発明を実施するための最良の形態】
【０００８】
以下において本発明の具体的な内容を図に示した実施例に基づき説明する。本発明にかかるフックボルトは、実質的な回動操作部２ａとなる六角形の頭部２と、垂直な軸部３とを備たボルト１と、該ボルト１が螺合されるネジ孔５を備えたフック部材４とから構成されている。
【０００９】
ボルト１の軸部３はネジの有しない胴部３ａと下方のネジ部３ｂとからなり、前記胴部３ａの直径Ｄは下方のネジ部３ｂの直径ｄより大きく形成されている。また前記フック部材４のネジ孔５の上部はボルト１の胴部３ａが嵌合する嵌合穴６として形成されており、該嵌合穴６にボルト１の胴部３ａが密に挿嵌できるように両者の直径が略等しく形成されている。更に、前記嵌合穴６がネジ孔５の軸芯に対して少し偏芯して形成されている。これによりボルト１のネジ部３ｂをネジ孔５に螺合したときにボルト胴部３ａと嵌合穴６との摺接によりボルト１とフック部材４とが相対的にボルト軸芯に対して直交する方向に圧迫されてボルト１とフック部材４との自然回動を防止するように構成されている。更に前記フック部材４に被締結部材即ちＨ型鋼９の下面９ａに当接するフック部７と、Ｈ型鋼９の端面９ｂに当接する回動阻止片８とが設けられていてボルト締付けの際にボルト１とフック部材４との共回りを防止するように構成されている。
【００１０】
使用にあたって、橋梁等の梁となるＨ型鋼９の上部に載置された枕木１０に設けられた貫通孔１１にボルト１の軸部３を挿通して、下方に露出したネジ部３ｂをフック部材４のネジ孔５に螺合させるだけで簡単に枕木１０を固定することができる。この際、フック部材４のフック部７をＨ型鋼９の下面９ａに位置させると共に回動阻止片８をＨ型鋼９の端面９ｂに当接させることにより、ボルト回動時のフック部材４の共回りを確実に防止できて締付け作業を容易に行うことができる。締付け過程において、ボルトの胴部３ａがフック部材４の偏芯した嵌合穴６に挿嵌するとボルト１とフック部材４とが相対的にボルト軸芯に対して直交する方向に圧迫されてネジ山同士が緊密に噛み合い、振動等による両者間の自然回動を確実に防止することができる。また枕木１０が経年でヤセた場合、枕木上面に表れた頭部２を回動工具で締め付けるだけで簡単に増し締めができて補修が容易である。更に、枕木上面には従来のような軸部が長く突出することなく、ボルトの頭部が少し出るだけなので歩行時の安全性が確保される。
【００１１】
上記実施例では、フック部材４の嵌合穴６をネジ孔軸芯に対して偏芯して形成したが、逆にボルト１の胴部３ａをネジ孔軸芯に対して偏芯して形成してもよい。この場合でも先の実施例と同じ効果が期待できる。またボルト頭部２の回動操作部２ａは実施例で示したような六角形状に限るものでなく、任意の回動工具が係合する形状であればどのような形態であってもよい。
【産業上の利用可能性】
【００１２】
本発明のフックボルトは、上述した橋梁の枕木固定用としての用途の他に、例えば建築用の梁材を鋼材に固定する場合やその他の種々の用途に利用することが可能である。
【図面の簡単な説明】
【００１３】
【図１】本発明に係るフックボルトの一実施例を示す斜視図
【図２】本発明に係るフックボルトの使用例を示す斜視図
【図３】本発明に係るフックボルトの使用状態を示す断面図
【符号の説明】
【００１４】
１  ボルト
２  ボルトの頭部
２ａ  回動操作部
３  ボルト軸部
３ａ  胴部
３ｂ  ネジ部
４  フック部材
５  ネジ孔
６  嵌合穴
７  フック部
８  回動阻止片
【図１】
2005233293.tif 000003
【図２】
2005233293.tif 000004
【図３】
2005233293.tif 000005